(57)【要約】【課題】ユーザ画像の考査の作業負荷を低減する【解決手段】フォトブック編集装置は、ユーザ端末から画像を受信する受信部と、前記画像のヘッダ情報を参照し、前記画像がフォトブックでの使用に不適合な要注意画像であるか否か判定する判定部と、フォトブック編集画面を前記ユーザ端末へ送信し、編集操作を受け付ける編集処理部と、を備える。前記フォトブック編集画面は前記画像のサムネイル画像を表示する領域を有する。前記編集処理部は、前記判定部が要注意画像と判定した画像に対応するサムネイル画像に識別子を付加して表示する。【選択図】図３
2019200534.tif 000002
【特許請求の範囲】
【請求項１】
ユーザ端末から画像を受信する受信部と、
前記画像のヘッダ情報を参照し、前記画像がフォトブックでの使用に不適合な要注意画像であるか否か判定する判定部と、
フォトブック編集画面を前記ユーザ端末へ送信し、編集操作を受け付ける編集処理部と、
を備え、
前記フォトブック編集画面は前記画像のサムネイル画像を表示する領域を有し、前記編集処理部は、前記判定部が要注意画像と判定した画像に対応するサムネイル画像に識別子を付加して表示することを特徴とするフォトブック編集装置。
【請求項２】
フォトブックに使用する画像として前記要注意画像が選択された場合に、この要注意画像が、ユーザ自身が所有する画像であるかをユーザに確認する確認処理部をさらに備えることを特徴とする請求項１に記載のフォトブック編集装置。
【請求項３】
前記判定部は、前記画像のＥｘｉｆ情報に含まれる撮影日時と画像データの更新日時とを比較し、撮影日時と更新日時とが不一致の場合に要注意画像であると判定することを特徴とする請求項１又は２に記載のフォトブック編集装置。
【請求項４】
前記判定部は、前記画像のＥｘｉｆ情報に撮影機器情報及びＥｘｉｆバージョン情報が登録されていない場合、要注意画像であると判定することを特徴とする請求項１又は２に記載のフォトブック編集装置。
【請求項５】
前記判定部は、前記画像のＥｘｉｆ情報に含まれる撮影日時と画像データの更新日時とを比較し、撮影日時と更新日時とが不一致であり、かつ前記Ｅｘｉｆ情報に撮影機器情報及びＥｘｉｆバージョン情報が登録されていない場合に、要注意画像であると判定することを特徴とする請求項１又は２に記載のフォトブック編集装置。
【請求項６】
請求項２に記載のフォトブック編集装置と、
前記フォトブック編集装置から、注文されたフォトブックのプリント用画像を受信し、考査者に表示する考査者端末と、
を備え、
前記フォトブック編集装置は、ユーザが前記要注意画像を自身が所有する画像であると確認した場合にユーザ確認情報を生成し、前記ユーザ確認情報を前記考査者端末へ送信し、
前記考査者端末は、前記ユーザ確認情報に基づいて、前記プリント用画像のうち、前記判定部が要注意画像と判定した画像にユーザ確認済みの識別子を付加して表示することを特徴とする考査支援システム。
【発明の詳細な説明】
【技術分野】
【０００１】
本発明は、フォトブック編集装置及び考査支援システムに関する。
【背景技術】
【０００２】
従来、デジタルカメラやスマートフォン等で撮影した画像を、ネットワーク上にアップロードして保存することが行われている。また、アップロードした画像をプリントして、フォトブックやポスター等を作製するサービスが知られている（例えば特許文献１参照）。
【０００３】
フォトブックを作製するにあたり、サービス提供者は、顧客からアップロードされた画像がフォトブックに適した画像であるか否か等を判定する、いわゆる考査を行っている。例えば、考査では、画像が著作権や肖像権を侵害していないか、公序良俗に反していないか、不正転売の目的がないかなどを判断する。著作権を侵害する画像には、ウェブサイトなどインターネット上で閲覧可能な画像を流用したものも含まれる。
【０００４】
従来、考査は人手による目視で行っていた。そのため、フォトブックの注文数の増加に伴い、人的コストの増加や、考査業務の遅延に伴うフォトブックの納品遅延等の問題が発生するおそれがあった。
【先行技術文献】
【特許文献】
【０００５】
【特許文献１】特開２００５−３３９２１４号公報
【発明の概要】
【発明が解決しようとする課題】
【０００６】
本発明は、ユーザ画像の考査の作業負荷を低減するフォトブック編集装置及び考査支援システムを提供することを課題とする。
【課題を解決するための手段】
【０００７】
本発明によるフォトブック編集装置は、ユーザ端末から画像を受信する受信部と、前記画像のヘッダ情報を参照し、前記画像がフォトブックでの使用に不適合な要注意画像であるか否か判定する判定部と、フォトブック編集画面を前記ユーザ端末へ送信し、編集操作を受け付ける編集処理部と、を備え、前記フォトブック編集画面は前記画像のサムネイル画像を表示する領域を有し、前記編集処理部は、前記判定部が要注意画像と判定した画像に対応するサムネイル画像に識別子を付加して表示するものである。
【０００８】
本発明の一態様では、フォトブックに使用する画像として前記要注意画像が選択された場合に、この要注意画像が、ユーザ自身が所有する画像であるかを確認する確認処理部をさらに備える。
【０００９】
本発明の一態様では、前記判定部は、前記画像のＥｘｉｆ情報に含まれる撮影日時と画像データの更新日時とを比較し、撮影日時と更新日時とが不一致の場合に要注意画像であると判定する。
【００１０】
本発明の一態様では、前記判定部は、前記画像のＥｘｉｆ情報に撮影機器情報及びＥｘｉｆバージョン情報が登録されていない場合、要注意画像であると判定する。
【００１１】
本発明の一態様では、前記判定部は、前記画像のＥｘｉｆ情報に含まれる撮影日時と画像データの更新日時とを比較し、撮影日時と更新日時とが不一致であり、かつ前記Ｅｘｉｆ情報に撮影機器情報及びＥｘｉｆバージョン情報が登録されていない場合に、要注意画像であると判定する。
【００１２】
本発明による考査支援システムは、本発明のフォトブック編集装置と、前記フォトブック編集装置から、注文されたフォトブックのプリント用画像を受信し、考査者に表示する考査者端末と、を備え、前記フォトブック編集装置は、ユーザが前記要注意画像を自身が所有する画像であると確認した場合にユーザ確認情報を生成し、前記ユーザ確認情報を前記考査者端末へ送信し、前記考査者端末は、前記ユーザ確認情報に基づいて、前記プリント用画像のうち、前記判定部が要注意画像と判定した画像にユーザ確認済みの識別子を付加して表示するものである。
【発明の効果】
【００１３】
本発明によれば、ユーザ画像の考査の作業負荷を低減できる。
【図面の簡単な説明】
【００１４】
【図１】本発明の実施形態に係るフォトブック作製システムの概略図である。
【図２】編集画面の一例を示す図である。
【図３】編集画面の一例を示す図である。
【図４】編集画面の一例を示す図である。
【図５】同実施形態に係るフォトブック編集装置の構成及び機能ブロックを示す図である。
【図６】同実施形態に係るフォトブック作製方法を説明するフローチャートである。
【発明を実施するための形態】
【００１５】
以下、本発明の実施の形態を図面に基づいて説明する。
【００１６】
図１に示すように、本発明の実施形態に係るフォトブック作製システムは、フォトブック編集装置１及び考査者端末３を備える。フォトブック編集装置１は、インターネット等の通信ネットワークを介して、考査者端末３及びユーザ端末７と通信可能となっている。
【００１７】
ユーザ端末７は、ＰＣ、スマートフォン、タブレット端末等である。ユーザ端末７は、例えば、ユーザがデジタルカメラやスマートフォン等で撮影したユーザ画像をフォトブック編集装置１にアップロードし、ユーザ画像を用いたフォトブックの注文を行う。
【００１８】
フォトブック編集装置１は、ユーザ端末７と通信を行い、編集画面をユーザ端末７へ送信したり、アップロードされたユーザ画像を保存したり、フォトブックに利用する画像の選択を受け付けたり、編集操作を受け付けたりする。
【００１９】
また、フォトブック編集装置１は、アップロードされたユーザ画像に埋め込まれているヘッダ情報を検出し、検出したヘッダ情報に基づいて、ユーザ画像が、インターネットからダウンロードしたと考えられる、フォトブックでの使用に不適合な画像（要注意画像）か否かを判定する。判定方法は後述する。フォトブック編集装置１は、要注意画像であると判定した場合は、ユーザにフラグを提示する。
【００２０】
例えば、ユーザがフォトブックの商品（装丁、ページ数、レイアウト）を選択すると、フォトブック編集装置１は編集画面を作成し、ユーザ端末７へ送信する。
【００２１】
例えば、図２に示す編集画面のアップロードボタンＢを押すと、ユーザ端末７のユーザ画像がアップロードできるようになる。ユーザ端末７からアップロードされた画像は、画像候補表示領域Ｃにサムネイル画像が表示される。編集画面のプレビュー領域Ｖには、フォトブックのページ毎に画像挿入領域Ｒが設けられている。図２に示す例では、１ページに１枚の画像が挿入されるが、１ページあたりの画像数は選択したレイアウトによって変わる。
【００２２】
フォトブック編集装置１は、アップロードされた画像の各々について、要注意画像か否かを判定する。要注意画像であると判定した場合、フォトブック編集装置１は、画像候補表示領域Ｃ内の画像にフラグＦを付加して表示する。
【００２３】
画像挿入領域Ｒを選択した後に画像候補表示領域Ｃ内の画像を選択すると、選択した画像が画像挿入領域Ｒに挿入される。
【００２４】
ユーザが、フォトブックに使用する画像として、フラグＦの付いた要注意画像を選択した場合、図３に示すように、フォトブック編集装置１は、画像挿入領域Ｒに選択された画像を表示すると共に、画像の所有者がユーザ自身であることを確認する確認ボタンＴを編集画面に表示する。ユーザが確認ボタンＴを選択すると、図４に示すように「確認済み」と表示が切り替わる。また、フォトブック編集装置１は、この画像を特定する画像番号や画像が挿入されたフォトブックのページ番号と、この画像の所有者がユーザ自身であることをユーザ自ら確認したことを示す情報とを含むユーザ確認情報を生成し、保存する。
【００２５】
図４に示す編集画面で、ユーザが、画像の所有者がユーザ自身でないこと（図３の“いいえ”ボタン）を選択した場合、フォトブック編集装置１は、画像の変更を促すメッセージ（アラート）を表示する。
【００２６】
ユーザは、編集画面を操作し、選択・配置した画像に、好みのフレームやスタンプ等の編集アイテムを合成したり、文字を入力したりするなどの編集操作を行う。編集後、ユーザは、発注するフォトブックの冊数を選択し、料金の支払い方法を選択し、フォトブックのプリント注文を完了する。
【００２７】
フォトブック編集装置１は、ユーザ端末７からプリント注文を受け付けると、プリント用画像データと、ユーザ確認情報とを考査者端末３へ送信する。
【００２８】
考査者端末３は、例えばコンピュータであり、考査者が目視で考査を行う際に使用する端末である。考査者端末３は、プリント用画像を表示すると共に、ユーザ確認情報に基づいて、フォトブック編集装置１が要注意画像と判定し、ユーザ自身が所有するものであることが確認されている画像に、ユーザ確認済みのフラグを表示する。このようなフラグを表示することで、考査の作業負荷を軽減できる。
【００２９】
考査者による考査処理後、フォトブック編集装置１は、プリント注文内容及びプリント用画像データを含むプリントデータを工場５へ送信する。工場５に設置されたプリンタ（図示略）は、受信したプリントデータに基づいて印画処理を行い、フォトブック６を作製する。工場５で作製されたフォトブック６は、ユーザへ配送される。
【００３０】
このように、本実施形態によれば、ヘッダ情報に基づいて要注意画像と判定したユーザ画像については、ユーザ自身が所有する画像であるかをユーザに確認する。そのため、フォトブックでの使用に不適切な画像を用いた注文を受け付けることを防止できる。また、ユーザ自身が所有する画像であることを確認したことを示すフラグを考査者端末３の画面に表示する。これにより、ユーザ画像の考査の作業負荷を軽減できる。ユーザが確認ボタンＴを押し、画像の所有者がユーザ自身であることを確かめている場合でも、例えば、フォトブックの注文数が所定値以上であり、転売目的の可能性がある場合は、注意を促すフラグを考査者端末３の画面に表示してもよい。
【００３１】
次に、フォトブック編集装置１の構成について説明する。フォトブック編集装置１は、編集画面を生成してユーザ端末７へ送信し、ユーザ端末７から受信したユーザ画像がフォトブック不適合画像か否かを判定し、不適合画像についてはユーザ所有の画像であるかをユーザに確認し、フォトブックの注文を受け付けるものである。
【００３２】
図５に示すように、フォトブック編集装置１は、制御部１０、記憶部２０、及び通信部３０を備える。制御部１０は、サーバ装置１の全体を制御する中央処理装置（ＣＰＵ）である。制御部１０は、記憶部２０に記憶されているオペレーティングシステム（ＯＳ）やアプリケーションプログラムを読み出して実行することにより、各種機能を実現する。
【００３３】
記憶部２０は、制御部１０が各種の処理を実行するために必要なプログラムやデータ等を記憶するための記憶領域であり、ハードディスクや半導体メモリ等が用いられる。記憶部２０は、テンプレートＤＢ（データベース）２１、ユーザ画像ＤＢ２２、判定結果ＤＢ２３、ユーザ確認情報ＤＢ２４、プリントデータＤＢ２５、及び注文情報ＤＢ２６を有する。
【００３４】
テンプレートＤＢ２１は、テンプレートを記憶する記憶領域である。テンプレートは、ユーザ画像と合成される画像であり、ユーザ画像の配置位置を指定するフレームや、スタンプ、背景画像等の編集アイテムを含む。
【００３５】
制御部１０は、ユーザ画像受信部１１、編集処理部１２、ヘッダ情報抽出部１３、判定部１４、確認処理部１５、及び注文処理部１６の機能を有する。
【００３６】
ユーザ画像受信部１１は、通信部３０を用いて、ユーザ端末７からユーザ画像のデータを受信し、ユーザ画像をユーザ画像ＤＢ２２に格納する。ユーザ画像受信部１１は、ユーザ端末７からユーザ画像以外の画像データを受信してもよい。制御部１０は、ユーザ画像受信部１１が受信したユーザ画像の解像度やデータサイズから、フォトブックに適した画像か否かを判定し、判定結果をユーザ端末７に通知してもよい。
【００３７】
編集処理部１２は、画像を選択・配置したり、スタンプ等で画像を装飾したりするなどの操作が可能な編集画面を生成し、通信部３０を介して編集画面をユーザ端末７へ送信する。
【００３８】
ヘッダ情報抽出部１３は、ユーザ端末７からユーザ画像を受信すると、ユーザ画像のヘッダ情報を抽出する。例えば、ヘッダ情報抽出部１３は、ユーザ画像に埋め込まれているＥｘｉｆ（登録商標）情報を抽出する。Ｅｘｉｆ情報は、撮影日時、撮影機器のメーカ名、撮影機器のモデル名、画像の解像度、シャッター速度、絞り値、フラッシュの有無、画像データの更新日時、ＧＰＳ情報、Ｅｘｉｆバージョン情報等を含む。
【００３９】
判定部１４は、ユーザ画像が、フォトブックでの使用に不適合な画像（要注意画像）か否かを判定する。特に、判定部１４は、ユーザ画像がインターネットからダウンロードした画像か否かを判定する。
【００４０】
例えば、判定部１４は、Ｅｘｉｆ情報内の撮影日時と画像データの更新日時とを比較する。ユーザ自身が撮影した画像の場合、撮影日時と更新日時とが一致することが多い。インターネット上のＳＮＳ等に画像がアップロードされる際、画像データは圧縮処理されて、撮影日時と更新日時とが不一致になることが多い。従って、撮影日時と更新日時とが不一致となる場合、ユーザがフォトブック編集装置１にアップロードした画像は、インターネット上のウェブサイトからダウンロードした画像の可能性が高いと考えられる。
【００４１】
また、判定部１４は、Ｅｘｉｆ情報に撮影機器のメーカ名やモデル名（撮影機器情報）、Ｅｘｉｆバージョン情報が登録されているか否かを判定する。画像データに圧縮処理をかけると、Ｅｘｉｆ情報に登録されていた撮影機器情報やＥｘｉｆバージョン情報が消去される（消去されることが多い）。従って、Ｅｘｉｆ情報に撮影機器情報及びＥｘｉｆバージョン情報が登録されていない場合、ユーザがフォトブック編集装置１にアップロードした画像は、インターネットからダウンロードした画像の可能性が高いと考えられる。
【００４２】
本実施形態では、判定部１４は、ユーザからアップロードされた各ユーザ画像について、Ｅｘｉｆ情報を参照し、撮影日時と更新日時とが一致するか否か、撮影機器情報及びＥｘｉｆバージョン情報が登録されているか否かを検出する。撮影日時と更新日時とが不一致であり、かつ撮影機器情報及びＥｘｉｆバージョン情報が登録されていない場合、判定部１４は、ユーザ画像を要注意画像として判定する。判定部１４による判定結果は、判定結果ＤＢ２３に格納される。
【００４３】
編集処理部１２は、画像候補表示領域Ｃ内のサムネイル画像のうち、判定部１４が要注意画像と判定した画像にフラグＦ（図２参照）等の識別子を付加して表示する。
【００４４】
確認処理部１５は、ユーザにより要注意画像が選択され、編集画面の画像挿入領域Ｒに要注意画像が挿入・配置された場合、確認ボタンＴ（図３参照）を編集画面に表示し、ユーザに対し、ユーザ自身が所有している画像であるか否かを問い合わせる。ユーザにより確認ボタンＴが選択されると、確認処理部１５は、画像の所有者がユーザ自身であることをユーザ自ら確認したことを示すユーザ確認情報を生成し、ユーザ確認情報ＤＢ２４に格納する。ユーザ確認情報は、画像を特定する情報（フォトブックのページ番号や画像番号等）を含む。
【００４５】
注文処理部１６は、ユーザ端末７からフォトブックの商品（装丁、ページ数、レイアウト）や、プリント冊数等の注文を受け付ける。必要に応じて決済部（図示略）が決済処理を行い、プリント注文が完了する。
【００４６】
プリント注文が完了すると、注文処理部１６は、注文番号と、注文されたフォトブックに含まれるプリント用画像の画像識別番号とを組み合わせた情報を、注文情報ＤＢ２６に格納する。
【００４７】
フォトブック編集装置１は、ユーザ確認情報と、プリント用画像データとを考査者端末３へ送信する。
【００４８】
次に、図６に示すフローチャートを用いて、本実施形態に係るフォトブック作製方法を説明する。
【００４９】
ユーザがフォトブックの仕様を選択し、ユーザ端末７内のユーザ画像をアップロードする（ステップＳ１）。
【００５０】
フォトブック編集装置１が、ユーザ画像のＥｘｉｆ情報に基づいて、インターネットからダウンロードした可能性の高い要注意画像か否かを判定する（ステップＳ２）。
【００５１】
ユーザが、アップロードした画像を選択し、編集画面の画像挿入領域Ｒに配置する（ステップＳ３）。また、ユーザは、編集画面を操作し、スタンプ等の編集アイテムを合成したり、文字を入力したりする。
【００５２】
ユーザが要注意画像を選択した場合（ステップＳ４＿Ｙｅｓ）、フォトブック編集装置１は、ユーザに対し、この要注意画像が、ユーザ自身が所有している画像であるか否かを問い合わせる（ステップＳ５）。
【００５３】
画像の所有者がユーザ自身であることをユーザ自ら確認した場合（ステップＳ５＿Ｙｅｓ）、フォトブック編集装置１はユーザ確認情報を生成する（ステップＳ６）。
【００５４】
要注意画像が、ユーザ自身が所有している画像でない場合（ステップＳ５＿Ｎｏ）、フォトブック編集装置１は画像の変更を促すアラートを編集画面に表示する（ステップＳ７）。ユーザは、アラートを見て、フォトブックに使用する画像を変更する。
【００５５】
画像の選択、配置、編集後、フォトブックのプリント冊数を入力し、支払い方法を選択し、決済処理を行う（ステップＳ９）。
【００５６】
フォトブック編集装置１は、プリント用画像データと、ユーザ確認情報とを考査者端末３へ送信する。考査者端末３は、ユーザ確認情報を用いて、フォトブック編集装置１が要注意画像と判定し、ユーザ自身が所有するものであることが確認されている画像に、ユーザ確認済みのフラグ等の識別子を表示する。考査者は、フラグを判断材料に使用して、考査を行う（ステップＳ１０）。
【００５７】
考査者による考査により問題が無いことが確認されると、フォトブック編集装置１は、プリントデータを工場５へ転送する（ステップＳ１１）。工場５では、プリント用画像を用紙にプリントし、製本して、フォトブックを作製する（ステップＳ１２）。
【００５８】
このように、本実施形態によれば、ユーザ画像のＥｘｉｆ情報に基づいて、インターネットからダウンロードした可能性の高い画像か否かを判定する。インターネットからダウンロードした可能性の高い要注意画像については、ユーザ自身が所有する画像であるか確認する。また、ユーザにより確認されたことを考査者端末に表示する。これにより、考査の作業負荷を低減することができる。
【００５９】
上記実施形態では、撮影日時と更新日時とが不一致であり、かつ撮影機器情報及びＥｘｉｆバージョン情報が登録されていない場合、ユーザ画像を要注意画像と判定する例について説明したが、撮影日時と更新日時とが不一致である、又は撮影機器情報及びＥｘｉｆバージョン情報が登録されていない、のいずれか一方が検出された場合に、ユーザ画像を要注意画像と判定してもよい。
【００６０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６１】
１  フォトブック編集装置
３  考査者端末
５  工場
６  フォトブック
７  ユーザ端末
１０  制御部
２０  記憶部
３０  通信部
【図１】
2019200534.tif 000003
【図２】
2019200534.tif 000004
【図３】
2019200534.tif 000005
【図４】
2019200534.tif 000006
【図５】
2019200534.tif 000007
【図６】
2019200534.tif 000008